(57)【要約】【課題】アンテナの受信領域を大きくしても容易に製造可能とする。【解決手段】電波によって磁化される磁性体（３１）と、磁性体（３１）の一部に巻回され、磁性体（３１）に生じた磁界の大きさに基づいて電流が流れる導体（３４）と、を備えるアンテナ（３０）において、磁性体（３１）に、導体（３４）が巻回されるアンテナ本体部（３３）と、アンテナ本体部（３３）と独立して形成し、電波を捕捉する電波捕捉部（３２）と、を備えた。更に、電波捕捉部（３２）の電波捕捉領域の面積を、導体（３４）の巻回方向に直交する方向のアンテナ本体部（３３）の断面積よりも広く形成し、電波捕捉部（３２）を、アンテナ本体部（３３）の導体（３４）の巻回方向の端部と接するように配置した。【選択図】      図１
2008113468.tif 000002
【特許請求の範囲】
【請求項１】
電波によって磁化される磁性体と、前記磁性体の一部に巻回され、前記磁性体に生じた磁界の大きさに基づいて電流が流れる導体と、を備えるアンテナにおいて、
前記磁性体は、前記導体が巻回されるアンテナ本体部と、前記アンテナ本体部と独立して形成され、電波を捕捉する電波捕捉部と、を備え、
前記電波捕捉部の電波捕捉領域の面積を、前記導体の巻回方向に直交する方向の前記アンテナ本体部の断面積よりも広く形成し、
前記電波捕捉部を、前記アンテナ本体部の導体の巻回方向の端部と接するように配置したことを特徴とするアンテナ。
【請求項２】
電波によって磁化される磁性体と、前記磁性体の一部に巻回され、前記磁性体に生じた磁界の大きさに基づいて電流が流れる導体と、を備えるアンテナにおいて、
前記磁性体は、前記導体が巻回されるアンテナ本体部と、前記アンテナ本体部と独立して形成され、電波を捕捉する電波捕捉部と、を備え、
前記電波捕捉部の電波捕捉領域の面積を、前記導体の巻回方向に直交する方向の前記アンテナ本体部の断面積よりも広く形成し、
前記電波捕捉部を、前記アンテナ本体部から離間させて配置したことを特徴とするアンテナ。
【請求項３】
電波によって磁化される磁性体と、前記磁性体の一部に巻回され、前記磁性体に生じた磁界の大きさに基づいて電流が流れる導体と、を備えるアンテナにおいて、
前記磁性体は、前記導体が巻回されるアンテナ本体部と、前記アンテナ本体部と独立して形成され、電波を捕捉する電波捕捉部と、を備え、
前記電波捕捉部の電波捕捉領域の面積を、前記導体の巻回方向に直交する方向の前記アンテナ本体部の断面積よりも広く形成し、
前記電波捕捉部を、電子基板上にパターン形成するとともに、
前記アンテナ本体部の導体の巻回方向の端部を、前記電波捕捉部と接するように前記電子基板に配置したことを特徴とするアンテナ。
【請求項４】
電波によって磁化される磁性体と、前記磁性体の一部に巻回され、前記磁性体に生じた磁界の大きさに基づいて電流が流れる導体と、を備えるアンテナにおいて、
前記磁性体は、前記導体が巻回されるアンテナ本体部と、前記アンテナ本体部と独立して形成され、電波を捕捉する電波捕捉部と、を備え、
前記電波捕捉部の電波捕捉領域の面積を、前記導体の巻回方向に直交する方向の前記アンテナ本体部の断面積よりも広く形成し、
前記電波捕捉部を、電子基板上にパターン形成するとともに、
前記アンテナ本体部を、前記電波捕捉部から離間させて前記電子基板に配置したことを特徴とするアンテナ。
【請求項５】
前記電波捕捉部を、無端となるように構成し、
前記アンテナ本体部を前記電波捕捉部の内側に設けたことを特徴とする請求項１〜４のいずれか一項に記載のアンテナ。
【請求項６】
請求項１〜５のいずれか一項に記載のアンテナをケース体内に備えたことを特徴とするアンテナを備えた腕時計。
【発明の詳細な説明】
【技術分野】
【０００１】
本発明は、アンテナ及びアンテナを備えた腕時計に関する。
【背景技術】
【０００２】
従来、時刻を正確に表示する時計として、電波時計が知られている。電波時計は、時刻情報の電波を受信して時刻を修正し、修正後の正確な時刻を表示できるように構成されている。この電波時計には、時刻情報の電波を受信するアンテナが内蔵されている。図１４に示すように、従来のアンテナ７０は、棒状のフェライトから形成された磁性体７１の周囲に導体７２がコイル状に巻きつけられて構成されている。このようなアンテナ７０においては、電波の受信領域の大きさ、すなわち、磁性体７１の両端部面積の広さで感度が決定される。そこで、アンテナ７０の電波受信感度を向上させるために、図１５に示すアンテナ８０のように、磁性体８１の両端部を大きくして電波の受信領域の面積を広くする工夫がなされていた（例えば、特許文献１参照。）。
【０００３】
【特許文献１】特開昭５５−９１２３７号公報
【発明の開示】
【発明が解決しようとする課題】
【０００４】
しかしながら、フェライトから形成される磁性体８１は、機械的に脆いことから、磁性体８１の両端部の受信領域を大きくするにつれて製造が困難になるとともに、強度的にも問題があったため、受信領域を大きくすることにも限度があった。
【０００５】
そこで、本発明の課題は、磁性体の受信領域をより大きくしても容易に製造できるアンテナ及びこのアンテナを備えた腕時計を提供することである。
【課題を解決するための手段】
【０００６】
上記課題を解決するため、請求項１に記載の発明は、電波によって磁化される磁性体（例えば、図１〜図３の磁性体３１）と、前記磁性体の一部に巻回され、前記磁性体に生じた磁界の大きさに基づいて電流が流れる導体（例えば、図１〜図３の導体３４）と、を備えるアンテナ（例えば、図１〜図３のアンテナ３０）において、前記磁性体は、前記導体が巻回されるアンテナ本体部（例えば、図１〜図３のアンテナ本体部３３）と、前記アンテナ本体部と独立して形成され、電波を捕捉する電波捕捉部（例えば、図１〜図３の電波捕捉部３２）と、を備え、前記電波捕捉部の電波捕捉領域の面積を、前記導体の巻回方向に直交する方向の前記アンテナ本体部の断面積よりも広く形成し、前記電波捕捉部を、前記アンテナ本体部の導体の巻回方向の端部と接するように配置したことを特徴とする。
ここで、導体の巻線方向とは、導体が巻きつけられていく方向、換言すれば、アンテナ本体部の軸線方向をいう。
【０００７】
請求項１に記載の発明によれば、アンテナ本体部と電波捕捉部とを独立に形成しているので、アンテナ本体部、電波捕捉部ともに簡単な形状とすることができるため、電波捕捉部の電波捕捉領域の面積を大きくしても磁性体全体の製造が容易となる。また、強度においても、局所的に負荷がかかる場所がなくなるので、アンテナの機械的強度を向上させることができる。よって、従来よりも電波捕捉部の電波捕捉領域の面積を、導体の巻回方向に直交する方向のアンテナ本体部の断面積よりも更に広く形成することができることとなって、電波の受信感度を向上させることができるとともに、受信可能な方向が増えるので、指向性をより緩和させることができる。
【０００８】
請求項２に記載の発明は、電波によって磁化される磁性体（例えば、図１０〜図１２の磁性体４１）と、前記磁性体の一部に巻回され、前記磁性体に生じた磁界の大きさに基づいて電流が流れる導体（例えば、図１０〜図１２の導体４４）と、を備えるアンテナ（例えば、図１０〜図１２のアンテナ４０）において、前記磁性体は、前記導体が巻回されるアンテナ本体部（例えば、図１０〜図１２のアンテナ本体部４３）と、前記アンテナ本体部と独立して形成され、電波を捕捉する電波捕捉部（例えば、図１０〜図１２の電波捕捉部４２）と、を備え、前記電波捕捉部の電波捕捉領域の面積を、前記導体の巻回方向に直交する方向の前記アンテナ本体部の断面積よりも広く形成し、前記電波捕捉部を、前記アンテナ本体部から離間させて配置したことを特徴とする。
【０００９】
請求項２に記載の発明によれば、アンテナ本体部と電波捕捉部とを独立に形成しているので、アンテナ本体部、電波捕捉部ともに簡単な形状とすることができるため、電波捕捉部の電波捕捉領域の面積を大きくしても磁性体全体の製造が容易となる。また、強度においても、局所的に負荷がかかる場所がなくなるので、アンテナの機械的強度を向上させることができる。よって、従来よりも電波捕捉部の電波捕捉領域の面積を、導体の巻回方向に直交する方向のアンテナ本体部の断面積よりも更に広く形成することができることとなって、電波の受信感度を向上させることができるとともに、受信可能な方向が増えるので、指向性をより緩和させることができる。
更に、電波捕捉部を、アンテナ本体部から離間させて配置したことにより、アンテナのレイアウトの自由度を高めることができ、設置スペースの制約を受ける小型の電子機器等においても好適に利用することができる。
【００１０】
請求項３に記載の発明は、電波によって磁化される磁性体（例えば、図８の磁性体３１ｅ）と、前記磁性体の一部に巻回され、前記磁性体に生じた磁界の大きさに基づいて電流が流れる導体（例えば、図８の導体３４ｅ）と、を備えるアンテナ（例えば、図８のアンテナ３０ｅ）において、前記磁性体は、前記導体が巻回されるアンテナ本体部（例えば、図８のアンテナ本体部３３ｅ）と、前記アンテナ本体部と独立して形成され、電波を捕捉する電波捕捉部（例えば、図８の電波捕捉部３２ｅ）と、を備え、前記電波捕捉部の電波捕捉領域の面積を、導体の巻回方向に直交する方向のアンテナ本体部の断面積よりも広く形成し、前記電波捕捉部を、電子基板（例えば、図８の回路基板１３）上にパターン形成するとともに、前記アンテナ本体部の導体の巻回方向の端部を、前記電波捕捉部と接するように前記電子基板に配置したことを特徴とする。
【００１１】
請求項３に記載の発明によれば、アンテナ本体部と電波捕捉部とを独立して形成しているので、アンテナ本体部、電波捕捉部ともに簡単な形状とすることができるため、電波捕捉部の電波捕捉領域の面積を大きくしても磁性体全体の製造が容易となる。また、強度においても、局所的に負荷がかかる場所がなくなるので、アンテナの機械的強度を向上させることができる。よって、従来よりも電波捕捉部の電波捕捉領域の面積を、導体の巻回方向に直交する方向のアンテナ本体部の断面積よりも更に広く形成することができることとなって、電波の受信感度を向上させることができるとともに、受信可能な方向が増えるので、指向性をより緩和させることができる。
更に、電波捕捉部を、電子基板上にパターン形成することにより、電波捕捉部の厚さを薄くすることができるので、アンテナの薄型化を図ることができる。
【００１２】
請求項４に記載の発明は、電波によって磁化される磁性体（例えば、図１３の磁性体４１ａ）と、前記磁性体の一部に巻回され、前記磁性体に生じた磁界の大きさに基づいて電流が流れる導体（例えば、図１３の導体４４ａ）と、を備えるアンテナ（例えば、図１３のアンテナ４０ａ）において、前記磁性体は、前記導体が巻回されるアンテナ本体部（例えば、図１３のアンテナ本体部４３ａ）と、前記アンテナ本体部と独立して形成され、電波を捕捉する電波捕捉部（例えば、図１３の電波捕捉部４２ａ）と、を備え、前記電波捕捉部の電波捕捉領域の面積を、前記導体の巻回方向に直交する方向の前記アンテナ本体部の断面積よりも広く形成し、前記電波捕捉部を、電子基板（例えば、図１３の回路基板１３）上にパターン形成するとともに、前記アンテナ本体部を、前記電波捕捉部から離間させて前記電子基板に配置したことを特徴とする。
【００１３】
請求項４に記載の発明によれば、アンテナ本体部と電波捕捉部とを独立に形成しているので、アンテナ本体部、電波捕捉部ともに簡単な形状とすることができるため、電波捕捉部の電波捕捉領域の面積を大きくしても磁性体全体の製造が容易となる。また、強度においても、局所的に負荷がかかる場所がなくなるので、アンテナの機械的強度を向上させることができる。よって、従来よりも電波捕捉部の電波捕捉領域の面積を、導体の巻回方向に直交する方向のアンテナ本体部の断面積よりも更に広く形成することができることとなって、電波の受信感度を向上させることができるとともに、受信可能な方向が増えるので、指向性をより緩和させることができる。
また、電波捕捉部を、電子基板上にパターン形成することにより、電波捕捉部の厚さを薄くすることができるので、アンテナの薄型化を図ることができる。更に、電波捕捉部を、アンテナ本体部から離間させて配置したことにより、アンテナのレイアウトの自由度を高めることができ、設置スペースの制約を受ける小型の電子機器等においても好適に利用することができる。
【００１４】
請求項５に記載の発明は、前記電波捕捉部（例えば、図７の電波捕捉部３２ｄ）を、無端となるように構成し、前記アンテナ本体部（例えば、図７のアンテナ本体部３３ｄ）を前記電波捕捉部の内側に設けたことを特徴とする。
【００１５】
請求項５に記載の発明によれば、電波捕捉部は、全方向からの電波を受信可能な状態となるため、請求項１〜４に記載のアンテナに比べてより指向性を緩和させることができる。
【００１６】
請求項６に記載の発明は、腕時計において、請求項１〜５のいずれか一項に記載のアンテナ（例えば、図１〜図１３のアンテナ３０、３０ａ〜３０ｆ、４０、４０ａ）をケース体（例えば、図２、図１１の時計ケース２）内に備えたことを特徴とする。
【００１７】
請求項６に記載の発明によれば、請求項１〜５に記載のアンテナを内蔵することにより、従来よりも電波の受信感度がより高く、且つ電波を受信可能な方向がより増えて指向性が緩和された腕時計を提供することができる。
【発明の効果】
【００１８】
請求項１に記載の発明によれば、アンテナ本体部と電波捕捉部とを独立に形成しているので、アンテナ本体部、電波捕捉部ともに簡単な形状とすることができるため、電波捕捉部の電波捕捉領域の面積を大きくしても磁性体全体の製造が容易となる。また、強度においても、局所的に負荷がかかる場所がなくなるので、アンテナの機械的強度を向上させることができる。よって、従来よりも電波捕捉部の電波捕捉領域の面積を、導体の巻回方向に直交する方向のアンテナ本体部の断面積よりも更に広く形成することができることとなって、電波の受信感度を向上させることができるとともに、受信可能な方向が増えるので、指向性をより緩和させることができる。
【００１９】
請求項２に記載の発明によれば、アンテナ本体部と電波捕捉部とを独立に形成しているので、アンテナ本体部、電波捕捉部ともに簡単な形状とすることができるため、電波捕捉部の電波捕捉領域の面積を大きくしても磁性体全体の製造が容易となる。また、強度においても、局所的に負荷がかかる場所がなくなるので、アンテナの機械的強度を向上させることができる。よって、従来よりも電波捕捉部の電波捕捉領域の面積を、導体の巻回方向に直交する方向のアンテナ本体部の断面積よりも更に広く形成することができることとなって、電波の受信感度を向上させることができるとともに、受信可能な方向が増えるので、指向性をより緩和させることができる。
更に、電波捕捉部を、アンテナ本体部から離間させて配置したことにより、アンテナのレイアウトの自由度を高めることができ、設置スペースの制約を受ける小型の電子機器等においても好適に利用することができる。
【００２０】
請求項３に記載の発明によれば、アンテナ本体部と電波捕捉部とを独立して形成しているので、アンテナ本体部、電波捕捉部ともに簡単な形状とすることができるため、電波捕捉部の電波捕捉領域の面積を大きくしても磁性体全体の製造が容易となる。また、強度においても、局所的に負荷がかかる場所がなくなるので、アンテナの機械的強度を向上させることができる。よって、従来よりも電波捕捉部の電波捕捉領域の面積を、導体の巻回方向に直交する方向のアンテナ本体部の断面積よりも更に広く形成することができることとなって、電波の受信感度を向上させることができるとともに、受信可能な方向が増えるので、指向性をより緩和させることができる。
更に、電波捕捉部を、電子基板上にパターン形成することにより、電波捕捉部の厚さを薄くすることができるので、アンテナの薄型化を図ることができる。
【００２１】
請求項４に記載の発明によれば、アンテナ本体部と電波捕捉部とを独立に形成しているので、アンテナ本体部、電波捕捉部ともに簡単な形状とすることができるため、電波捕捉部の電波捕捉領域の面積を大きくしても磁性体全体の製造が容易となる。また、強度においても、局所的に負荷がかかる場所がなくなるので、アンテナの機械的強度を向上させることができる。よって、従来よりも電波捕捉部の電波捕捉領域の面積を、導体の巻回方向に直交する方向のアンテナ本体部の断面積よりも更に広く形成することができることとなって、電波の受信感度を向上させることができるとともに、受信可能な方向が増えるので、指向性をより緩和させることができる。
また、電波捕捉部を、電子基板上にパターン形成することにより、電波捕捉部の厚さを薄くすることができるので、アンテナの薄型化を図ることができる。更に、電波捕捉部を、アンテナ本体部から離間させて配置したことにより、アンテナのレイアウトの自由度を高めることができ、設置スペースの制約を受ける小型の電子機器等においても好適に利用することができる。
【００２２】
請求項５に記載の発明によれば、電波捕捉部は、全方向からの電波を受信可能な状態となるため、請求項１〜４に記載のアンテナに比べてより指向性を緩和させることができる。
【００２３】
請求項６に記載の発明によれば、請求項１〜５に記載のアンテナを内蔵することにより、従来よりも電波の受信感度がより高く、且つ電波を受信可能な方向がより増えて指向性が緩和された腕時計を提供することができる。
【発明を実施するための最良の形態】
【００２４】
以下、本発明に係るアンテナ及びアンテナを備えた腕時計について詳細に説明する。
〔第１の実施の形態〕
図１、図２に示すように、アンテナ３０は、腕時計１００に内蔵され、時刻情報の電波を受信して、腕時計１００の表示時刻を修正するものである。
腕時計１００には、時計モジュール１を内部に収納するケース体としての時計ケース２が備えられ、時計ケース２の上部中央には時計ガラス３がパッキン４を介して装着されている。また、時計モジュール１に備えられている枠状部材５は、その上部を時計ガラス３に当接するように配置されている。さらに、この時計ケース２の下面には、裏蓋６が防水リング７を介して取り付けられており、時計モジュール１と裏蓋６との間には、緩衝部材８が設けられている。また、この時計ケース２の上部外周にはベゼル９が設けられている。更に、時計ケース２には、バンド軸２Ａを介し、時計バンドＢが取り付けられている。
【００２５】
時計モジュール１は、アナログ機能を備えたものである。図２に示すように、時計モジュール１には、中間部材としての上部ハウジング１０と下部ハウジング１１とが備えられ、上部ハウジング１０の上面に文字板１２が配置され、その文字板１２の上面に枠状部材５が配置されている。また、枠状部材５の下方であって、予め定められた間隔を有する上部ハウジング１０と下部ハウジング１１との間に電子基板としての回路基板１３が配置されている。時計モジュール１は、これら文字板１２、上部ハウジング１０、回路基板１３、および下部ハウジング１１が時計ケース２の中枠１４に取り付けられた構造になっている。
また、上部ハウジング１０には、アナログ指針機構１５が備えられており、下部ハウジング１１には、例えば、アナログ指針機構１５等が動作するための電池（図示略）が組み込まれている。
【００２６】
更に、上部ハウジング１０には、アンテナ３０が備えられている。
アンテナ３０は、図３に示すように、電波によって磁化される磁性体３１、この磁性体３１の一部に巻きつけられ、磁性体３１に生じた磁界の大きさに基づいて電流が流れる導体３４等を備えている。
磁性体３１は、時刻情報の電波を捕捉する電波捕捉部３２と、電波捕捉部３２に対して独立して形成され、導体３４が巻きつけられるアンテナ本体部３３と、を備えている。
電波捕捉部３２は、フェライト等で構成され、上部ハウジング１０に沿って帯状に曲成されて、上部ハウジング１０上に配置されている。また、電波捕捉部３２には、アンテナ本体部３３を連結するための凹部３２ａが形成されている。電波捕捉部３２は、アンテナ本体部３３を挟んで互いに対向する位置、例えば、三時の位置と九時の位置に設けられ、アンテナ本体部３３の各端部をそれぞれに対向する電波捕捉部３２の凹部３２ａに嵌め込むことにより、電波捕捉部３２とアンテナ本体部３３とが連結される。すなわち、電波捕捉部３２は、アンテナ本体部３３に対して取り外し可能となるように設けられている。
【００２７】
アンテナ本体部３３は、電波捕捉部３２の凹部３２ａに連結できるように設けられ、電波捕捉部３２が配置される上部ハウジング１０にその両端部が支持されている。
また、アンテナ本体部３３には、例えば、銅線等の導体３４がコイル状に巻きつけられており、電波によってアンテナ本体部３３が磁化され、磁化されたアンテナ本体部３３に生じる磁界の大きさに伴った電流が導体３４に流れる。
【００２８】
アナログ指針機構１５は、文字板１２に設けられた軸孔１２ａからその上方に延びる指針軸１７と、この指針軸１７に取り付けられた時針、分針などの指針１８とを備え、この指針１８が文字板１２の上方を運針するように構成されている。ここで、文字板１２と指針１８にはそれぞれ発光素子からの光を受光して発光する発光部１９が所定の個所に設けられている。
【００２９】
枠状部材５は、例えば、光透過性を有する合成樹脂、特に透明な合成樹脂で形成されている。この枠状部材５は、図２に示すように、時計ガラス３の周縁部の下面と文字板１２（上部ハウジング１０）の周縁部の上面とに当接した状態で、時計ケース２の内周面に装着されている。また、この枠状部材５の所定箇所、例えば、図１に示すように１２時と６時とに対応する個所には、ブラックライトと呼ばれる紫外線発光素子２０１が配置されている。紫外線発光素子２０１が配置された枠状部材５は、保護部材または緩衝部材としての機能も兼備した部材である。紫外線発光素子２０１は、例えば波長が２５４〜４２０ｎｍ（ナノメートル）の紫外線、又は波長が３７４〜３８９ｎｍの紫外線、好ましくは３６５ｎｍ付近の紫外線を発光する紫外線灯または紫外線発光ダイオード（ＬＥＤ）などで構成されている。
【００３０】
また、この紫外線発光素子２０１は、図２に示すように、紫外線発光素子２０１に当接するコンタクト部材２１と、このコンタクト部材２１を付勢する付勢部材としてのコイルばね２２とで構成されている接続部材２１Ａにより支持されて、固定されている。このコンタクト部材２１は、紫外線発光素子２０１の電極端子（図示略）に対応した一対の支持軸２１ａ（図２では一方のみを示す）を有しており、その支持軸２１ａが電極端子に当接している。
【００３１】
コンタクト部材２１は、導電性を有し、その中央部は上部ハウジング１０に設けられた貫通孔１０ａ内に挿入されるとともに、文字板１２に設けられた貫通孔１２ｂ、および枠状部材５に設けられた貫通孔５ａを通され、枠状部材５の上端部は、上方に突出するように配置される。この突出した上端部（一対の支持軸２１ａ）に紫外線発光素子２０１が当接されている。紫外線発光素子２０１と時計ガラス３の間には、緩衝部材２３が取り付けられている。
【００３２】
コイルばね２２は、導電性を有し、上部ハウジング１０に設けられた貫通孔１０ａ内に挿入され、その下端部が回路基板１３に形成された接続端子Ｔに弾接し、上端部がコンタクト部材２１の下端部に弾接している。これにより、コイルばね２２はコンタクト部材２１を紫外線発光素子２０１側に付勢し、弾性的に支持している。また、コンタクト部材２１とコイルばね２２とで構成された接続部材２１Ａにより紫外線発光素子２０１と回路基板１３とは電気的に接続されている。
【００３３】
発光部１９は、図２に示すように、文字板１２における所定個所、例えばマーク部分や時字の上面や、アナログ指針機構１５における指針１８の所定の個所に、樹脂部や、印刷部または塗装部として形成されている。その発光部１９上面は透明なオーバーコート（図示略）で覆われて保護されていることが好ましい。
これら発光部１９は、例えば、波長が３５０〜４２０ｎｍ、または２５４〜３６５ｎｍの紫外線に反応して有色発光し、紫外線が照射されない通常状態のときに透明な状態を呈するものである。つまり、紫外線発光素子２０１から出力された紫外線や、光透過性を有する枠状部材５を介して出射される紫外線に反応して、発光部１９は有色発光する。
【００３４】
本実施の形態のアンテナ３０によれば、アンテナ本体部３３と電波捕捉部３２とを独立に形成しているので、アンテナ本体部３３、電波捕捉部３２ともに簡単な形状とすることができるため、電波捕捉部３２の電波捕捉領域の面積を大きくしても磁性体全体の製造が容易となる。また、強度においても、局所的に負荷がかかる場所がなくなるので、アンテナ３０の機械的強度を向上させることができる。よって、従来よりも電波捕捉部３２の電波捕捉領域の面積を、導体３４の巻回方向に直交する方向のアンテナ本体部３３の断面積よりも更に広く形成することができることとなって、電波の受信感度を向上させることができるとともに、受信可能な方向が増えるので、指向性をより緩和させることができる。
【００３５】
次に、上記第１の実施の形態のアンテナ３０の変形例を説明する。
（変形例１）
図４に示すように、変形例１のアンテナ３０ａは、電波捕捉部３２ａに溝部３５ａを形成し、アンテナ本体部３３ａの両端部に溝部３５ａと嵌合する突状部３６ａを形成したものである。溝部３５ａは、電波捕捉部３２ａを上部ハウジング１０上に配置したときに腕時計１００の上面側から下面側に延びるように形成され、導体３４ａをコイル状に巻いたアンテナ本体部３３ａの突状部３６ａが上方から嵌め込まれてアンテナ３０ａが構成される。
【００３６】
このような構成とすることにより、電波捕捉部３２ａを上部ハウジング１０に取り付けた後に、アンテナ本体部３３ａを取り付けることができるので、製造上の自由度が増す。また、アンテナ本体部３３ａの取り外しの際にもアンテナ本体部３３ａを溝部３５ａに沿って引き抜くだけでよいので、取り外し作業を容易に行うことができる。
【００３７】
（変形例２）
図５に示すように、変形例２のアンテナ３０ｂは、変形例１における円弧状の電波捕捉部３２ａを略Ｌ字状の電波捕捉部３２ｂとしたものである。
電波捕捉部３２ｂは、腕時計１００の上面の中心位置に対して点対称となるように二つ配置され、それぞれに溝部３５ｂが形成されている。また、アンテナ本体部３３ｂの両端部には、溝部３５ｂと嵌合する突状部３６ｂが形成されている。溝部３５ｂは、電波捕捉部３２ｂを上部ハウジング１０上に配置したときに腕時計１００の上面側から下面側に延びるように形成され、導体３４ｂをコイル状に巻いたアンテナ本体部３３ｂの突状部３６ｂが上方から嵌め込まれてアンテナ３０ｂが構成される。
【００３８】
このような構成とすることにより、変形例１と同様の効果を得ることができるほか、二つの電波捕捉部３２ｂによって外周が略四角形状となるので、アンテナ３０ｂを四角形の腕時計に用いることができる。
【００３９】
（変形例３）
図６に示すように、変形例３のアンテナ３０ｃは、アンテナ本体部３３ｃの両端部を山形部と谷形部とが連続する鋸歯形状に形成し、電波捕捉部３２ｃのアンテナ本体部３３ｃとの接続部を山形部と谷形部とが連続する鋸歯形状に形成し、互いの山形部と谷形部とを接続したものである。
【００４０】
このような構成とすることにより、変形例１又は変形例２に比べて、電波捕捉部３２ｃとアンテナ本体部３３ｃの接触面積が増加するので、電波捕捉部３２ｃとアンテナ本体部３３ｃとの接続箇所に発生する摩擦が大きくなることとなって、アンテナ３０ｃをより安定した状態で維持することができるので、電波の受信感度をより安定させることができる。
【００４１】
（変形例４）
図７に示すように、変形例４のアンテナ３０ｄは、上記第１の実施の形態における円弧状の電波捕捉部３２をアンテナ本体部３３の外側を全周にわたって囲むリング状の電波捕捉部３２ｄとしたものである。
電波捕捉部３２ｄは、その内周面側にアンテナ本体部３３ｄが接続されている。電波捕捉部３２ｄには、アンテナ本体部３３ｄを連結するための凹部３５ｄが形成され、アンテナ本体部３３ｄの各端部をそれぞれ電波捕捉部３２ｄの凹部３５ｄに嵌め込むことにより、電波捕捉部３２ｄとアンテナ本体部３３ｄとが連結されてアンテナ３０ｄを構成する。
【００４２】
このような構成とすることにより、全方向からの電波が受信可能な状態となるため、腕時計１００がどのような向きにおかれていても受信感度を良好に維持することができる。
【００４３】
（変形例５）
図８に示すように、変形例５のアンテナ３０ｅは、上記第１の実施の形態における円弧状の電波捕捉部３２を回路基板１３上にパターン形成し、アンテナ本体部３３を、回路基板１３に対して取り外し可能に取り付けたものである。
電波捕捉部３２ｅは、回路基板１３上に銅箔等で二箇所にパターン形成され、回路基板１３の電波捕捉部３２ｅ間には、アンテナ本体部３３ｅを取り付けるための取付孔Ｈが形成されている。この取付孔Ｈにアンテナ本体部３３ｅが嵌め込まれることにより、アンテナ３０ｅが構成される。
【００４４】
このような構成とすることにより、アンテナ３０ｅの厚さは、アンテナ本体３３ｅが有する厚さよりも回路基板１３の厚さ分だけ薄くなる。よって、アンテナ３０ｅの薄型化を図ることができ、腕時計１００をより薄型化することができる。
【００４５】
（変形例６）
図９に示すように、変形例６のアンテナ３０ｆは、フィルム基板Ｆに銅箔等で二箇所にパターン形成された電波捕捉部３２ｆと、この電波捕捉部３２ｆ間に設けられたフィルム状コイル素子からなるアンテナ本体部３３ｆとを備えている。アンテナ本体部３３ｆは、例えば、ポリエチレンテレフタラート（ＰＥＴ）やポリ塩化ビニール（ＰＶＣ）等の合成樹脂から作られた２枚のベースフィルム５０ａ、５０ｂが接着剤５１により相互に接着され、さらにこのベースフィルム５０ａ、５０ｂの間に薄膜誘電体５２が埋設されている。また、各ベースフィルム５０ａ、５０ｂの表面上に薄膜誘電体５２を挾んで対向する位置に、銅箔等の薄膜導体５３ａ、５３ｂがそれぞれ接着剤５１により接着されている。更に、この２枚の薄膜導体５３ａ、５３ｂは接続導体としてのスルーホール５４により接続されている。スルーホール５４で接続された薄膜導体５３ａ、５３ｂは、薄膜誘電体５２の周囲を螺旋状に巻く形状となり、薄膜誘電体５２を芯材とする疑似コイルを形成する。
【００４６】
このような構成とすることにより、図８に示すような回路基板１３にアンテナ本体部３３ｅを取り付ける場合に比べてアンテナ３０ｆの厚さを格段に薄くすることができる。よって、アンテナ３０ｆの薄型化を図ることができ、腕時計１００をより薄型化することができる。
【００４７】
〔第２の実施の形態〕
図１０、図１１に示すように、第２の実施の形態におけるアンテナ４０は、腕時計２００に内蔵され、時刻情報の電波を受信して、腕時計２００の表示時刻を修正するものである。なお、第１の実施の形態と同様の構成要素には同一符号を付して説明を省略する。
アンテナ４０は、図１２に示すように、電波によって磁化される磁性体４１、磁性体４１に巻きつけられ、磁性体４１に生じた磁界の大きさに基づいて電流が流れる導体４４等を備えている。
磁性体４１は、導体４４が巻きつけられるアンテナ本体部４３、このアンテナ本体部４３と独立して形成され、電波を捕捉する電波捕捉部４２等を備えている。本実施の形態が第１の実施の形態と異なる点は、電波捕捉部４２をアンテナ本体部４３から離間させて配置した点である。
電波捕捉部４２は、フェライト等の磁性体で構成され、図１１に示すように、時計ケース２及び中枠１４に形成された収納部Ｓ内に設けられ、時計ケース２及び中枠１４に沿って帯状に曲成されている。また、電波捕捉部４２は、互いに対向する位置、例えば、三時の位置と九時の位置に設けられ、アンテナ本体部４３の各端部から離間された状態で配置されている。
【００４８】
アンテナ本体部４３は、フェライト等の磁性体で構成され、対向する電波捕捉部４２間に設けられ、上部ハウジング１０にその両端部が支持されている。
また、アンテナ本体部４３には、導体４４がコイル状に巻きつけられている。これにより、電波捕捉部４２が捕捉した電波によってアンテナ本体部４３が磁化され、磁化されたアンテナ本体部４３が形成する磁界の大きさに伴った電流が導体４４に流れる。
【００４９】
本実施の形態のアンテナ４０によれば、アンテナ本体部４３と電波捕捉部４２とを独立に形成しているので、アンテナ本体部４３、電波捕捉部４２ともに簡単な形状とすることができるため、電波捕捉部４３の電波捕捉領域の面積を大きくしても磁性体全体の製造が容易となる。また、強度においても、局所的に負荷がかかる場所がなくなるので、アンテナ４０の機械的強度を向上させることができる。よって、従来よりも電波捕捉部４２の電波捕捉領域の面積を、導体４４の巻回方向に直交する方向のアンテナ本体部４３の断面積よりも更に広く形成することができることとなって、電波の受信感度を向上させることができるとともに、受信可能な方向が増えるので、指向性をより緩和させることができる。
更に、電波捕捉部４２をアンテナ本体部４３から離間させて配置したことにより、アンテナ４０のレイアウトの自由度を高めることができ、設置スペースの制約を受ける腕時計２００等の小型の電子機器においても好適に利用することができる。
【００５０】
（変形例１）
変形例１のアンテナ４０ａは、上記第２の実施の形態における円弧状の電波捕捉部４２を回路基板１３上にパターン形成し、アンテナ本体部４３を、回路基板１３に対して取り外し可能に取り付けたものである。
図１３に示すように、電波捕捉部４２ａは、回路基板１３上に銅箔等で二箇所にパターン形成され、回路基板１３の電波捕捉部４２ａ間には、アンテナ本体部４３ａを取り付けるための取付孔Ｈが形成されている。この取付孔Ｈにアンテナ本体部４３ａが嵌め込まれることにより、アンテナ４０ａが構成される。
【００５１】
このような構成とすることにより、アンテナ４０ａの厚さは、アンテナ本体部４３ａが有する厚さよりも回路基板１３の厚さ分だけ薄くなる。よって、アンテナ４０ａの薄型化を図ることができ、腕時計２００をより薄型化することができる。
【００５２】
なお、本発明は上記実施の形態に限定されるものではない。例えば、アンテナは、アナログ式の腕時計に限らず、デジタル式の腕時計に内蔵してもよい。また、電波捕捉部、アンテナ本体部の形状や配置も自由に設計変更可能である。
その他、発明の要旨を逸脱しない範囲内であれば変更が可能である。
【図面の簡単な説明】
【００５３】
【図１】本発明の第１の実施の形態における腕時計の概略平面図である。
【図２】図１のＩＩ−ＩＩ部断面図である。
【図３】本発明の第１の実施の形態におけるアンテナの概略平面図である。
【図４】本発明の第１の実施の形態における変形例１のアンテナの概略平面図である。
【図５】本発明の第１の実施の形態における変形例２のアンテナの概略平面図である。
【図６】本発明の第１の実施の形態における変形例３のアンテナの概略平面図である。
【図７】本発明の第１の実施の形態における変形例４のアンテナの概略平面図である。
【図８】本発明の第１の実施の形態における変形例５のアンテナの概略図であり、（ａ）は概略平面図、（ｂ）は（ａ）のＶＩＩＩ−ＶＩＩＩ部断面図である。
【図９】本発明の第１の実施の形態における変形例６のアンテナの概略図であり、（ａ）は概略平面図、（ｂ）は（ａ）のＩＸ−ＩＸ部断面図である。
【図１０】本発明の第２の実施の形態における腕時計の概略平面図である。
【図１１】図１０のＸＩ−ＸＩ部断面図である。
【図１２】本発明の第２の実施の形態におけるアンテナの概略平面図である。
【図１３】本発明の第２の実施の形態における変形例１のアンテナの概略図であり、（ａ）は概略平面図、（ｂ）は（ａ）のＸＩＩＩ−ＸＩＩＩ部断面図である。
【図１４】従来技術におけるアンテナの説明図である。
【図１５】従来技術におけるアンテナの説明図である。
【符号の説明】
【００５４】
２  時計ケース（ケース体）
１３  回路基板（電子基板）
３０、３０ａ〜３０ｆ、４０、４０ａ  アンテナ
３１、３１ａ〜３１ｆ、４１、４１ａ  磁性体
３２、３２ａ〜３２ｆ、４２、４２ａ  電波捕捉部
３３、３３ａ〜３３ｆ、４３、４３ａ  アンテナ本体部
３４、３４ａ〜３４ｆ、４４、４４ａ  導体
１００、２００  腕時計
【図１】
2008113468.tif 000003
【図２】
2008113468.tif 000004
【図３】
2008113468.tif 000005
【図４】
2008113468.tif 000006
【図５】
2008113468.tif 000007
【図６】
2008113468.tif 000008
【図７】
2008113468.tif 000009
【図８】
2008113468.tif 000010
【図９】
2008113468.tif 000011
【図１０】
2008113468.tif 000012
【図１１】
2008113468.tif 000013
【図１２】
2008113468.tif 000014
【図１３】
2008113468.tif 000015
【図１４】
2008113468.tif 000016
【図１５】
2008113468.tif 000017
【手続補正書】
【提出日】平成20年2月25日(2008.2.25)
【手続補正１】
【補正対象書類名】特許請求の範囲
【補正対象項目名】全文
【補正方法】変更
【補正の内容】
【特許請求の範囲】
【請求項１】
腕時計ケースと、
この時計ケースの開口一端部を塞ぐ時計ガラスと、
前記時計ケースの開口他端部を塞ぐ裏蓋部材と、
棒状のアンテナ本体部とこのアンテナ本体部の中央部に巻き付けられたコイル状の導体とを備えているアンテナと、
このアンテナを支持するハウジングと、
このハウジング内に収容された回路基板と、
前記アンテナの両端に磁気的に結合された電波捕捉部とを備え、
前記アンテナ本体部は、前記回路基板と平行に配置されており、かつ、前記電波捕捉部は、前記アンテナ本体部の長手方向と直交する方向に配置されていることを特徴とする腕時計。
【手続補正３】
【補正対象書類名】明細書
【補正対象項目名】０００１
【補正方法】変更
【補正の内容】
【０００１】
本発明は、アンテナを備えた腕時計に関する。
【手続補正４】
【補正対象書類名】明細書
【補正対象項目名】０００５
【補正方法】変更
【補正の内容】
【０００５】
そこで、本発明の課題は、限られた時計ケースの空間内で、電波の受信感度の向上を図ることが可能な腕時計を提供することである。
【手続補正５】
【補正対象書類名】明細書
【補正対象項目名】０００６
【補正方法】変更
【補正の内容】
【０００６】
上記課題を解決するため、請求項１に記載の発明は、
腕時計ケース（２）と、
この時計ケースの開口一端部を塞ぐ時計ガラス（３）と、
前記時計ケースの開口他端部を塞ぐ裏蓋部材（６）と、
棒状のアンテナ本体部（３３ｅ）とこのアンテナ本体部の中央部に巻き付けられたコイル状の導体（３４）とを備えているアンテナ（３０）と、
このアンテナを支持するハウジング（１０，１１）と、
このハウジング内に収容された回路基板（１３）と、
前記アンテナの両端に磁気的に結合された電波捕捉部（３２）とを備え、
前記アンテナ本体部は、前記回路基板と平行に配置されており、かつ、前記電波捕捉部は、前記アンテナ本体部の長手方向と直交する方向に配置されていることを特徴とする。
【手続補正６】
【補正対象書類名】明細書
【補正対象項目名】０００７
【補正方法】変更
【補正の内容】
【０００７】
請求項１に記載の発明によれば、棒状のアンテナ本体部が、アンテナを支持するハウジング内に収容された回路基板と平行に配置されており、かつ、アンテナの両端に磁気的に結合された電波捕捉部がアンテナ本体部の長手方向と直交する方向に配置されているので、電波の受信感度を向上させることができる。
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】
【手続補正１７】
【補正対象書類名】明細書
【補正対象項目名】００１８
【補正方法】変更
【補正の内容】
【００１８】
請求項１に記載の発明によれば、棒状のアンテナ本体部が、アンテナを支持するハウジング内に収容された回路基板と平行に配置されており、かつ、アンテナの両端に磁気的に結合された電波捕捉部がアンテナ本体部の長手方向と直交する方向に配置されているので、電波の受信感度を向上させることができる。
【手続補正１８】
【補正対象書類名】明細書
【補正対象項目名】００１９
【補正方法】削除
【補正の内容】
【手続補正１９】
【補正対象書類名】明細書
【補正対象項目名】００２０
【補正方法】削除
【補正の内容】
【手続補正２０】
【補正対象書類名】明細書
【補正対象項目名】００２１
【補正方法】削除
【補正の内容】
【手続補正２１】
【補正対象書類名】明細書
【補正対象項目名】００２２
【補正方法】削除
【補正の内容】
【手続補正２２】
【補正対象書類名】明細書
【補正対象項目名】００２３
【補正方法】削除
【補正の内容】